(57)【要約】【課題】  完全エンコードとそれに消費されるメモリ及び時間を節約できる抽象語法記述（ＡＳＮ．１）を用いた再エンコードシステムの引用標記方法の提供。【解決手段】  入力データを受信し、規制標記（Ｓｐｅｃｉｆｉｅｄ  Ｉｎｄｅｘ）を受信したデータに加え、受信したデータに省略された選択性アイテム（ｏｐｔｉｏｎａｌ）或いは省略された黙認アイテム（ｄｅｆａｕｌｔ）があるかを判別し、省略された選択性アイテム或いは黙認アイテム範囲内の規制標記があれば、直接データのアップデート、挿入或いは削除を行ない、更に規制標記に基づきエンコード調整し、並びに調整後のエンコードデータを出力し、デジタル署名の応用、例えば連帯署名（ｃｏｓｉｇｎ）、副署名（ｃｏｕｎｔｅｒｓｉｇｎ）が必要とする複数データソース実体（ｅｎｔｉｔｙ）のエンコードに適用される。【選択図】        図２
2006040126.tif 000002
【特許請求の範囲】
【請求項１】
抽象語法記述を用いた再エンコードシステムの引用標記方法において、
（ａ）入力データ受信のステップと、
（ｂ）規制標記（Ｓｐｅｃｉｆｉｅｄ  Ｉｎｄｅｘ）を註記し並びにデータインデックスを構築するステップと、
（ｃ）データの追加（ａｄｄ）、アップデート（ｕｐｄａｔｅ）、挿入（ｉｎｓｅｒｔ）或いは削除（ｄｅｌｅｔｅ）実行のステップと、
（ｄ）規制標記（Ｓｐｅｃｉｆｉｅｄ  Ｉｎｄｅｘ）に基づきエンコード調整し、並びに再エンコードデータを出力するステップと、
を具えたことを特徴とする、抽象語法記述を用いた再エンコードシステムの引用標記方法。
【請求項２】
請求項１記載の抽象語法記述を用いた再エンコードシステムの引用標記方法において、（ａ）のステップ中、入力データは線形８ビット（Ｏｃｔｅｔ  Ｓｔｒｉｎｇ）データであることを特徴とする、抽象語法記述を用いた再エンコードシステムの引用標記方法。
【請求項３】
請求項１記載の抽象語法記述を用いた再エンコードシステムの引用標記方法において、（ｂ）のステップ中、データインデックスの構築が、更に、選択性アイテム（ｏｐｔｉｏｎａｌ）或いは黙認アイテム（ｄｅｆａｕｌｔ）範囲内に存在する規制標記（Ｓｐｅｃｉｆｉｅｄ  Ｉｎｄｅｘ）を調整し、該データインデックス中に不使用の選択性アイテムを加えてアップデートできるようにし、また、該データインデックス中に省略された黙認アイテムとその黙認値を加えてアップデートできるようにするステップを具えたことを特徴とする、抽象語法記述を用いた再エンコードシステムの引用標記方法。
【請求項４】
請求項１記載の抽象語法記述を用いた再エンコードシステムの引用標記方法において、（ｂ）のステップ中、データインデックスの内容は、（ｉ）オリジナルデータ中のアイテムデータの位置、（ｉｉ）アイテムデータ長、（ｉｉｉ）ツリー構造のインデックス、及び（ｉｖ）アイテムデータアップデート註記を具えていることを特徴とする、抽象語法記述を用いた再エンコードシステムの引用標記方法。
【請求項５】
請求項１記載の抽象語法記述を用いた再エンコードシステムの引用標記方法において、（ｃ）のステップ中、ＳＥＴ  ＯＦのデータ構造は無限の複数組の同じサブアイテム（ｓｕｂ−ｉｔｅｍ）を収容可能で、これらのサブアイテムは再エンコード前に削除（ｄｅｌｅｔｅ）或いは追加（ａｄｄ）され、追加（ａｄｄ）されるサブアイテムはメインアイテム上に標記され、追加の数量に制限はないことを特徴とする、抽象語法記述を用いた再エンコードシステムの引用標記方法。
【請求項６】
請求項１記載の抽象語法記述を用いた再エンコードシステムの引用標記方法において、（ｃ）のステップ中、ＳＥＱＵＥＮＣＥ  ＯＦ或いはＩＮＳＴＡＮＣＥ  ＯＦのデータ構造は無限の複数組の同じサブアイテム（ｓｕｂ−ｉｔｅｍ）を収容可能で、これらのサブアイテムは再エンコード前に削除（ｄｅｌｅｔｅ）、追加（ａｄｄ）されるサブアイテムで、即ち直前のサブアイテムに標記され、追加の数量に制限はないことを特徴とする、抽象語法記述を用いた再エンコードシステムの引用標記方法。
【請求項７】
請求項１記載の抽象語法記述を用いた再エンコードシステムの引用標記方法において、（ｃ）のステップ中、ＳＥＴ或いはＳＥＱＵＥＮＣＥのデータ構造は有限の所定アイテムを収容し、これらのサブアイテムは再エンコード前にアップデート（ｕｐｄａｔｅ）され、標記が選択性アイテム（ｏｐｔｉｏｎａｌ）或いは黙認アイテム（ｄｅｆａｕｌｔ）であれば、削除（ｄｅｌｅｔｅ）されることを特徴とする、抽象語法記述を用いた再エンコードシステムの引用標記方法。
【請求項８】
請求項１記載の抽象語法記述を用いた再エンコードシステムの引用標記方法において、（ｃ）のステップ中、ＣＨＯＩＣＥのデータ構造は単一のアイテムを収容し、このサブアイテムは再エンコード前にアップデート（ｕｐｄａｔｅ）され、また、このサブアイテムのアイテム名（ｉｔｅｍ  ｎａｍｅ）及びタグ（ｔａｇ）もアップデート（ｕｐｄａｔｅ）されることを特徴とする、抽象語法記述を用いた再エンコードシステムの引用標記方法。
【請求項９】
請求項１記載の抽象語法記述を用いた再エンコードシステムの引用標記方法において、（ｃ）のステップ中、基本データタイプは単一のアイテムを収容し、このアイテムは再エンコード前にアップデート（ｕｐｄａｔｅ）されることを特徴とする、抽象語法記述を用いた再エンコードシステムの引用標記方法。
【請求項１０】
請求項１記載の抽象語法記述を用いた再エンコードシステムの引用標記方法において、（ｃ）のステップ中、ＡＮＹのデータタイプは再エンコード前にアップデート（ｕｐｄａｔｅ）され、タグ（ｔａｇ）もアップデート（ｕｐｄａｔｅ）されることを特徴とする、抽象語法記述を用いた再エンコードシステムの引用標記方法。
【発明の詳細な説明】
【技術分野】
【０００１】
本発明は一種のＡＳＮ．１再エンコードシステムに用いられる引用標記方法に関する。このような標記方法は、直接エンコード済のＡＳＮ．１データをアップデートし、この調整コードにより、どのようなアップデートも特定アイテムに対してだけ必要となり、完全に全てのアイテムをエンコードデコードする必要がなくなる。
【背景技術】
【０００２】
デジタル署名の施行によりデジタル署名を応用したシステムが起こった。しかし伝統的なＡＳＮ．１再エンコードシステム効率は不良で、もともと広く応用されている多重署名伝送システムは大きく制限される。伝統的な方法はＡＳＮ．１データを完全にエンコードデコードするため、時間を消耗し、デコード済データを保存するメモリも消費する。このような方法を連帯署名（ｃｏｓｉｇｎ）、或いは副署名（ｃｏｕｎｔｅｒｓｉｇｎ）に応用する場合のシステム効率は悪く、伝統的な方式によると各データソース実体（ｅｎｔｉｔｙ）に対して以下のステップを実行しなければならない。即ち、（１）ＡＳＮ．１データの完全デコード、（２）データの追加（ａｄｄ）、アップデート（ｕｐｄａｔｅ）、挿入（ｉｎｓｅｒｔ）或いは削除（ｄｅｌｅｔｅ）、（３）完全エンコード。
【０００３】
図１は伝統的なエンコードフローを示す。伝統的なＡＳＮ．１の完全デコードステップ中、データ受信のステップ１００において、受信されるデータは線形の８ビット（Ｏｃｔｅｔ  Ｓｔｒｉｎｇ）シリアルデジタルデータである。このようなデータは本質的にツリー構造であり、伝統的にはエンコードのために先ず完全デコードのステップ１１０を行なって、入力データをツリー構造（Ｔｒｅｅ  Ｓｔｒｕｃｔｕｒｅ）のオリジナルフォーマットに還元しなければならない。その後、データアップデートのステップ１２０を行ない、即ち、データの追加（ａｄｄ）、アップデート（ｕｐｄａｔｅ）、挿入（ｉｎｓｅｒｔ）或いは削除（ｄｅｌｅｔｅ）を行なう。最後に完全エンコードのステップ１３０を実行した後、エンコードデータ出力のステップ１４０を実行する。
【０００４】
デコード後のツリー構造が複雑になるほど、占用するメモリ空間が大きくなり、計算時間も多くなる。
このことから、合理的で且つ上述の従来の技術の欠点を改善できる方法が求められている。
【発明の開示】
【発明が解決しようとする課題】
【０００５】
本発明の主要な目的は、ＡＳＮ．１再エンコードシステムの引用標記方法を提供することにあり、それは、（１）再エンコードに使用が必要なメモリを減し、（２）再エンコードに必要な時間を短縮し、及び、（３）再エンコードシステムを容易に使用できるようにする方法であるものとする。
【課題を解決するための手段】
【０００６】
請求項１の発明は、抽象語法記述を用いた再エンコードシステムの引用標記方法において、
（ａ）入力データ受信のステップと、
（ｂ）規制標記（Ｓｐｅｃｉｆｉｅｄ  Ｉｎｄｅｘ）を註記し並びにデータインデックスを構築するステップと、
（ｃ）データの追加（ａｄｄ）、アップデート（ｕｐｄａｔｅ）、挿入（ｉｎｓｅｒｔ）或いは削除（ｄｅｌｅｔｅ）実行のステップと、
（ｄ）規制標記（Ｓｐｅｃｉｆｉｅｄ  Ｉｎｄｅｘ）に基づきエンコード調整し、並びに再エンコードデータを出力するステップと、
を具えたことを特徴とする、抽象語法記述を用いた再エンコードシステムの引用標記方法としている。
請求項２の発明は、請求項１記載の抽象語法記述を用いた再エンコードシステムの引用標記方法において、（ａ）のステップ中、入力データは線形８ビット（Ｏｃｔｅｔ  Ｓｔｒｉｎｇ）データであることを特徴とする、抽象語法記述を用いた再エンコードシステムの引用標記方法としている。
請求項３の発明は、請求項１記載の抽象語法記述を用いた再エンコードシステムの引用標記方法において、（ｂ）のステップ中、データインデックスの構築が、更に、選択性アイテム（ｏｐｔｉｏｎａｌ）或いは黙認アイテム（ｄｅｆａｕｌｔ）範囲内に存在する規制標記（Ｓｐｅｃｉｆｉｅｄ  Ｉｎｄｅｘ）を調整し、該データインデックス中に不使用の選択性アイテムを加えてアップデートできるようにし、また、該データインデックス中に省略された黙認アイテムとその黙認値を加えてアップデートできるようにするステップを具えたことを特徴とする、抽象語法記述を用いた再エンコードシステムの引用標記方法としている。
請求項４の発明は、請求項１記載の抽象語法記述を用いた再エンコードシステムの引用標記方法において、（ｂ）のステップ中、データインデックスの内容は、（ｉ）オリジナルデータ中のアイテムデータの位置、（ｉｉ）アイテムデータ長、（ｉｉｉ）ツリー構造のインデックス、及び（ｉｖ）アイテムデータアップデート註記を具えていることを特徴とする、抽象語法記述を用いた再エンコードシステムの引用標記方法としている。
請求項５の発明は、請求項１記載の抽象語法記述を用いた再エンコードシステムの引用標記方法において、（ｃ）のステップ中、ＳＥＴ  ＯＦのデータ構造は無限の複数組の同じサブアイテム（ｓｕｂ−ｉｔｅｍ）を収容可能で、これらのサブアイテムは再エンコード前に削除（ｄｅｌｅｔｅ）或いは追加（ａｄｄ）され、追加（ａｄｄ）されるサブアイテムはメインアイテム上に標記され、追加の数量に制限はないことを特徴とする、抽象語法記述を用いた再エンコードシステムの引用標記方法としている。
請求項６の発明は、請求項１記載の抽象語法記述を用いた再エンコードシステムの引用標記方法において、（ｃ）のステップ中、ＳＥＱＵＥＮＣＥ  ＯＦ或いはＩＮＳＴＡＮＣＥ  ＯＦのデータ構造は無限の複数組の同じサブアイテム（ｓｕｂ−ｉｔｅｍ）を収容可能で、これらのサブアイテムは再エンコード前に削除（ｄｅｌｅｔｅ）、追加（ａｄｄ）されるサブアイテムで、即ち直前のサブアイテムに標記され、追加の数量に制限はないことを特徴とする、抽象語法記述を用いた再エンコードシステムの引用標記方法としている。
請求項７の発明は、請求項１記載の抽象語法記述を用いた再エンコードシステムの引用標記方法において、（ｃ）のステップ中、ＳＥＴ或いはＳＥＱＵＥＮＣＥのデータ構造は有限の所定アイテムを収容し、これらのサブアイテムは再エンコード前にアップデート（ｕｐｄａｔｅ）され、標記が選択性アイテム（ｏｐｔｉｏｎａｌ）或いは黙認アイテム（ｄｅｆａｕｌｔ）であれば、削除（ｄｅｌｅｔｅ）されることを特徴とする、抽象語法記述を用いた再エンコードシステムの引用標記方法としている。
請求項８の発明は、請求項１記載の抽象語法記述を用いた再エンコードシステムの引用標記方法において、（ｃ）のステップ中、ＣＨＯＩＣＥのデータ構造は単一のアイテムを収容し、このサブアイテムは再エンコード前にアップデート（ｕｐｄａｔｅ）され、また、このサブアイテムのアイテム名（ｉｔｅｍ  ｎａｍｅ）及びタグ（ｔａｇ）もアップデート（ｕｐｄａｔｅ）されることを特徴とする、抽象語法記述を用いた再エンコードシステムの引用標記方法としている。
請求項９の発明は、請求項１記載の抽象語法記述を用いた再エンコードシステムの引用標記方法において、（ｃ）のステップ中、基本データタイプは単一のアイテムを収容し、このアイテムは再エンコード前にアップデート（ｕｐｄａｔｅ）されることを特徴とする、抽象語法記述を用いた再エンコードシステムの引用標記方法としている。
請求項１０の発明は、請求項１記載の抽象語法記述を用いた再エンコードシステムの引用標記方法において、（ｃ）のステップ中、ＡＮＹのデータタイプは再エンコード前にアップデート（ｕｐｄａｔｅ）され、タグ（ｔａｇ）もアップデート（ｕｐｄａｔｅ）されることを特徴とする、抽象語法記述を用いた再エンコードシステムの引用標記方法としている。
【発明の効果】
【０００７】
本発明はデコードの過程中で全てのオリジナルデータを開き並びに複製して別に保存することがなく、全てのオリジナルデータのノードに対して規制標記（Ｓｐｅｃｉｆｉｅｄ  Ｉｎｄｅｘ）を構築してデコードを完成する。
【０００８】
また一方で本発明はデコードの過程中に全てのオリジナルデータを開いて複製することがなく、エンコード過程で直接規制標記（Ｓｐｅｃｉｆｉｅｄ  Ｉｎｄｅｘ）に基づきオリジナルデータのエンコードを行なう。
【０００９】
更に、使用者は未調整の規制標記（Ｓｐｅｃｉｆｉｅｄ  Ｉｎｄｅｘ）を熟知していなくとも、調整を要するアイテム（ｔａｒｇｅｔ  ｉｔｅｍ）を了解するだけで、再エンコードシステム使用の進入障害を減らすことができる。
【発明を実施するための最良の形態】
【００１０】
図２は本発明のフローを示す。本発明はＡＳＮ．１再エンコードシステムの引用標記方法を提供し、それは、入力データ受信のステップ２００を具え、その受信する入力データは伝統的な再エンコードシステムの入力データと同じであり、即ち線形の８ビットデータ（Ｏｃｔｅｔ  Ｓｔｒｉｎｇ）データである。その後、規制標記（Ｓｐｅｃｉｆｉｅｄ
Ｉｎｄｅｘ）註記のステップ２１０を実行して、規制標記を受信したデータに加える。続いて受信データに省略された選択性アイテム（ｏｐｔｉｏｎａｌ）或いは省略された黙認アイテム（ｄｅｆａｕｌｔ）があるかを判別するステップ２２０を実行し、もしあれば、即ち選択性アイテム（ｏｐｔｉｏｎａｌ）或いは省略された黙認アイテム（ｄｅｆａｕｌｔ）範囲内に存在する規制標記（Ｓｐｅｃｉｆｉｅｄ  Ｉｎｄｅｘ）を調整するステップ２３０を実行する。このステップ２１０、２２０、２３０により、データインデックスの構築が完成する。次のステップは、直接データアップデートを実行するステップ２４０であり、即ちデータの追加（ａｄｄ）、アップデート（ｕｐｄａｔｅ）、挿入（ｉｎｓｅｒｔ）或いは削除（ｄｅｌｅｔｅ）を行なう。続いて規制標記（Ｓｐｅｃｉｆｉｅｄ  Ｉｎｄｅｘ）に基づきエンコードを調整するステップ２５０を実行し、最後に調整後のエンコードデータを出力するステップ２６０を実行する。
【００１１】
本発明のＡＳＮ．１再エンコードは速度が速く簡単に使用でき、新しいフローにより完全なデコードと完全なエンコードを行なう場合に較べ消耗されるメモリと時間を節約することができる。
【００１２】
本発明の図２のフローに示されるように、データ入力後に、先ずデータインデックスを構築し、使用者はインデックスを利用してデータをアップデートし、その後、デフラグの方式で再エンコードし、再エンコードを行なう。本発明の再エンコードシステムの方法と伝統的な再エンコードシステムの入力データは同じであり、即ち線形８ビット（Ｏｃｔｅｔ  Ｓｔｒｉｎｇ）データである。このようなデータは本質的にツリー構造であり、伝統的な方法によると、再エンコードのために先ず完全デコードし、入力データをツリー構造のオリジナルフォーマットに還元する。本発明では完全デコードを回避するため、フォーマット構築の作業の代わりにデータインデックスを構築し、それは、（１）アイテムデータのオリジナルデータ中の位置、（２）アイテムデータ長、（３）構築されるデータインデックス中のツリー構造に註記されるインデックス、及び（４）アイテムデータアップデート註記を具えている。
【００１３】
このようにインデックスを設計する目的は、完全デコードを回避することにある。そのうち、（１）と（２）の内容はデータを重複して複製しないために、アイテムデータのオリジナルデータ中の位置と長さを知る必要があるためであり、再エンコード時には直接使用される。そのうち（３）と（４）の内容はデータにアップデートがある時、使用者がツリー構造のインデックスに基づき調整したいアイテムデータの位置を探し出し並びにアップデートの行為をインデックス中に註記できるようにする。
【００１４】
データインデックス構築の行為は、選択性アイテム（ｏｐｔｉｏｎａｌ）或いは黙認アイテム（ｄｅｆａｕｌｔ）範囲内にある規制標記（Ｓｐｅｃｉｆｉｅｄ  Ｉｎｄｅｘ）の調整を包含する。ＡＳＮ．１の定義に基づき、一つの選択性アイテム（ｏｐｔｉｏｎａｌ）が不使用の状況では、それをエンコードせず、ただし再エンコードの過程中にこの不存在のデータアイテムがアップデート試行される可能性があるため、インデックス中にそれを加える。同様に、ＡＳＮ．１の定義に基づき、一つの黙認アイテム（ｄｅｆａｕｌｔ）は一つのデータの値が黙認値に等しい時はそれをエンコードしない。ただし再エンコードの過程中にこの不存在のデータアイテムがアップデート試行される可能性があるため、インデックス中にそれを加入する。
【００１５】
データアップデートの行為は、データの追加（ａｄｄ）、アップデート（ｕｐｄａｔｅ）、挿入（ｉｎｓｅｒｔ）或いは削除（ｄｅｌｅｔｅ）を包含する。
ＡＳＮ．１の定義に基づき、ＳＥＴ  ＯＦデータ構造は無限の複数組の同じサブアイテム（ｓｕｂ−ｉｔｅｍ）を収容可能で、これらのサブアイテムは再エンコード前に削除（ｄｅｌｅｔｅ）、追加（ａｄｄ）されるサブアイテムで、即ちメインアイテム上に標記され、追加の数量に制限はない。
【００１６】
ＡＳＮ．１の定義に基づき、ＳＥＱＵＥＮＣＥ  ＯＦ或いはＩＮＳＴＡＮＣＥ  ＯＦのデータ構造は無限の複数組の同じサブアイテム（ｓｕｂ−ｉｔｅｍ）を収容可能で、これらのサブアイテムは再エンコード前に削除（ｄｅｌｅｔｅ）、追加（ａｄｄ）されるサブアイテムで、即ち直前のサブアイテムに標記され、追加の数量に制限はない。
ＡＳＮ．１の定義に基づき、ＳＥＴのデータ構造は有限の所定アイテムを収容し、これらのサブアイテムは再エンコード前にアップデート（ｕｐｄａｔｅ）され、標記が選択性アイテム（ｏｐｔｉｏｎａｌ）或いは黙認アイテム（ｄｅｆａｕｌｔ）であれば、削除（ｄｅｌｅｔｅ）される。
【００１７】
ＡＳＮ．１の定義に基づき、ＳＥＱＵＥＮＣＥのデータ構造は有限の所定アイテムを収容し、これらのサブアイテムは再エンコード前にアップデート（ｕｐｄａｔｅ）され、標記が選択性アイテム（ｏｐｔｉｏｎａｌ）或いは黙認アイテム（ｄｅｆａｕｌｔ）であれば、削除（ｄｅｌｅｔｅ）される。
【００１８】
ＡＳＮ．１の定義に基づき、ＣＨＯＩＣＥのデータ構造は単一のアイテムを収容し、このサブアイテムは再エンコード前にアップデート（ｕｐｄａｔｅ）され、また、このサブアイテムのアイテム名（ｉｔｅｍ  ｎａｍｅ）及びタグ（ｔａｇ）もアップデート（ｕｐｄａｔｅ）される。
【００１９】
ＡＳＮ．１の定義に基づき、基本データタイプは単一のアイテムを収容し、このアイテムは再エンコード前にアップデート（ｕｐｄａｔｅ）され、また、ＡＮＹのデータタイプは再エンコード前にアップデート（ｕｐｄａｔｅ）され、タグ（ｔａｇ）もアップデート（ｕｐｄａｔｅ）される。
【００２０】
図３は伝統的なＡＳＮ．１エンコードを使用した実施例である。そのうちツリー構造の入力データは、
〔１〕〔２〕〔３〕〔４〕〔５〕〔６〕〔７〕〔８〕〔９〕〔０〕
である。もし、伝統的な方法によると、先ず完全にデコードしてオリジナルのツリー構造となし、即ち、
〔１〕−〔２〕〔６〕〔７〕〔０〕
〔２〕−〔３〕〔４〕〔５〕
〔７〕−〔８〕〔９〕
となし、その後、データアップデートのステップを実行する。即ち、
（ａ）アイテム〔６〕を削除：
〔１〕−〔２〕〔６〕〔７〕〔０〕→〔１〕−〔２〕〔７〕〔０〕
（ｂ）メインアイテム〔４〕を〔Ｂ〕にアップデート：
〔２〕−〔３〕〔４〕〔５〕→〔２〕−〔３〕〔Ｂ〕〔５〕
（ｃ）メインアイテム〔７〕中にアイテム〔Ｃ〕を追加：
〔７〕−〔８〕〔９〕→〔７〕−〔８〕〔９〕〔Ｃ〕
最後に新しいツリー構造に対して完全エンコードを実行する：
〔１〕〔２〕〔３〕〔Ｂ〕〔５〕〔７〕〔８〕〔９〕〔Ｃ〕〔０〕
【００２１】
図４は本発明の再エンコードを使用した実施例を示す。伝統的な方法と比較すると、本発明は伝統的な方法と同じ入力データ、即ち、
〔１〕〔２〕〔３〕〔４〕〔５〕〔６〕〔７〕〔８〕〔９〕〔０〕
を受け取る。
完全デコードを回避するため、本発明によると、先ずフォーマット構築の作業の代わりにデータインデックスを構築し、各ノードにあって規制標記を註記し、該アイテムデータのオリジナルデータ中の位置と長さ及びツリー構造インデックスを明記するほか、アイテムデータアップデート註記を加える。即ち選択性アイテム〔６〕に削除註記を加える。アイテム〔４〕にアップデート註記〔Ｂ〕を加える。ＳＥＴ  ＯＦメインアイテム〔１〕に追加アイテム〔Ｃ〕の註記を加える。
その後、直接データアップデートを実行し、続いて規制標記（Ｓｐｅｃｉｆｉｅｄ  Ｉｎｄｅｘ）に基づきエンコード調整し、並びに調整後のエンコードデータ、即ち、
〔１〕〔２〕〔３〕〔Ｂ〕〔５〕〔７〕〔８〕〔９〕〔Ｃ〕〔０〕
を出力する。
【００２２】
総合すると、本発明は得難い発明であり、確実に予期された使用目的を達成し、周知の欠点を解決し、極めて新規性と進歩性を有し、特許の要件に符合するものである。なお、以上の説明は本発明を説明するためのもので本発明の範囲を限定するものではなく、本発明に基づきなしうる細部の修飾或いは改変は、いずれも本発明の請求範囲に属するものとする。
【図面の簡単な説明】
【００２３】
【図１】伝統的なＡＳＮ．１エンコードフローチャートである。
【図２】本発明の再エンコードフローチャートである。
【図３】伝統的なＡＳＮ．１エンコードを使用した実施例図である。
【図４】本発明の再エンコードを使用した実施例図である。
【図１】
2006040126.tif 000003
【図２】
2006040126.tif 000004
【図３】
2006040126.tif 000005
【図４】
2006040126.tif 000006